(57)【要約】【課題】  本発明は、原子力発電所の運転員の訓練を行なう際、個々の訓練生の特性を把握でき、前記特性に対応した訓練計画を作成できる  本発明の他の目的は、原子力発電所の運転員の訓練を行なう際、効果的な訓練を行なうためのシナリオを容易に作成、保存、使用できる訓練計画作成システムを提供することにある。【解決手段】  本発明による訓練計画作成システムは、教官は教官用端末１３を操作し、訓練ガイダンス提供装置１１から訓練生の訓練実施経験に応じたシナリオを抽出し、又、前記訓練生に最適なシナリオを作成することによって、訓練生の特性に合わせた最適の訓練シナリオによる訓練計画ができる。又、訓練生の対応状況に応じて教官が臨機応変にシナリオを変更したとき、その結果を訓練ガイダンス提供装置１１に記憶して、次回の訓練計画作成に反映することができる。【選択図】  図１  
2006017547.tif 000002
【特許請求の範囲】
【請求項１】
プラントの運転をするための訓練に使用する訓練計画作成システムであって、
訓練ガイダンス提供装置と、
前記訓練ガイダンス提供装置と、第１の通信網を介して接続される教官用端末とを具備し、
前記訓練ガイダンス提供装置は、
プラントの運転に必要な知識及び技能を示す知識カタログ項目と、
前記訓練に使用され、前記知識カタログ項目を修得するためのシナリオと、
前記訓練を実施する訓練生が過去に実施した前記シナリオに関係する訓練履歴とを保持し、
前記教官用端末は、前記ガイダンス提供装置に第1の要求信号を送信して、前記ガイダンス提供装置から第1の要求信号に応じた前記知識カタログ項目や、前記シナリオや、前記訓練履歴を抽出し、表示し、変更される前記シナリオを訓練ガイダンス提供装置に送信し、
前記訓練ガイダンス提供装置は、受信される前記シナリオを記録する
訓練計画作成システム。
【請求項２】
請求項１記載のシステムにおいて、
前記訓練ガイダンス提供装置と第２の通信網を介して接続される訓練シミュレータとを具備し、
前記訓練シミュレータは、第２の要求信号を前記訓練ガイダンス提供装置に送信して、
前記訓練ガイダンス提供装置から前記第２の要求信号に応じた前記シナリオを抽出し、表示し、前記シナリオに基づくシミュレーションを実施し、実施済みのシナリオの内容を記憶し、前記訓練ガイダンス提供装置に送信し、
訓練ガイダンス提供装置は、受信される前記実施済みのシナリオの内容を基に、前記訓練履歴を作成し、記憶する
訓練計画作成システム。
【請求項３】
請求項１又は２記載のシステムにおいて、
前記教官用端末は、第１の要求信号としてキーワードを前記第１の通信網を介して前記訓練ガイダンス提供装置に送信し、
前記訓練ガイダンス提供装置は、検索プログラムを有し、受信される前記キーワードを含む前記シナリオを検索し、前記キーワードを含む前記シナリオを抽出し、前記第１の通信網を介し前記教官用端末に送信し、
前記教官用端末は、受信される前記シナリオを表示する
訓練計画作成システム。
【請求項４】
請求項１から３いずれか１項に記載のシステムにおいて、
前記教官用端末は、第１の要求信号として前記知識カタログ項目を前記第１の通信網を介して前記訓練ガイダンス提供装置に送信し、
前記訓練ガイダンス提供装置は、受信される前記知識カタログ項目に関連する前記シナリオを抽出し、前記第１の通信網を介して前記教官用端末に送信し、
前記教官用端末は、受信される前記シナリオを表示する
訓練計画作成システム。
【請求項５】
請求項４項記載のシステムにおいて、
前記教官用端末は、第１の要求信号として前記シナリオを識別するシナリオ名を前記第１の通信網を介して前記訓練ガイダンス提供装置に送信し、
前記訓練ガイダンス提供装置は、受信される前記シナリオ名に関連する前記知識カタログ項目を抽出し、前記第１の通信網を介し前記教官用端末に送信し、
前記教官用端末は、受信される前記知識カタログ項目を表示する
訓練計画作成システム。
【請求項６】
請求項１から５いずれか１項に記載のシステムにおいて、
前記教官用端末は、前記訓練ガイダンス提供装置から受信される前記シナリオを修正し、修正シナリオとして前記訓練ガイダンス提供装置に送信し、
前記訓練ガイダンス提供装置は、受信される前記修正シナリオと、前記修正シナリオに関連する前記知識カタログ項目とを関連付けて記憶する
訓練計画作成システム。
【請求項７】
請求項１から６いずれか１項に記載のシステムにおいて、
前記教官用端末は、前記訓練ガイダンス提供装置から受信される複数の前記シナリオを結合し、結合シナリオとして前記訓練ガイダンス提供装置に送信し、
前記訓練ガイダンス提供装置は、受信される前記結合シナリオと、前記結合シナリオに関連する前記知識カタログ項目とを関連付けて記憶する
訓練計画作成システム。
【請求項８】
請求項１から７いずれか１項に記載のシステムにおいて、
前記シナリオは、訓練を開始する状態である初期状態を含み、
前記訓練ガイダンス提供装置は、前記初期状態に対応した前記知識カタログ項目を関連付けして記憶し、
前記教官用端末は、第１の要求信号として前記初期状態を前記第１の通信網を介して前記訓練ガイダンス提供装置に送信し、
前記訓練ガイダンス提供装置は、受信される前記初期状態に関連する前記知識カタログ項目を抽出し、前記第１の通信網を介し前記教官用端末に送信し、
前記教官用端末は、受信される前記知識カタログ項目を表示する
訓練計画作成システム。
【請求項９】
請求項８記載のシステムにおいて
前記教官用端末は、第１の要求信号として前記知識カタログ項目を前記第１の通信網を介して前記訓練ガイダンス提供装置に送信し、
前記訓練ガイダンス提供装置は、受信される前記知識カタログ項目に関連する前記初期状態を抽出し、前記第１の通信網を介し前記教官用端末に送信し、
前記教官用端末は、受信される前記初期状態を表示する
訓練計画作成システム。
【請求項１０】
請求項１から９いずれか１項記載のシステムにおいて、
前記訓練履歴は、前記訓練生が過去に経験したシナリオの回数と、知識カタログ項目の回数と、初期状態の回数を含む
訓練計画作成システム。
【請求項１１】
請求項１０項記載のシステムにおいて、
前記教官用端末は、第１の要求信号として前記訓練生の識別番号とともに、経験済みのシナリオの回数、又は、経験済みの知識カタログ項目の回数、又は、経験済みの初期状態の回数を前記訓練ガイダンス提供装置に送信し、
前記訓練ガイダンス提供装置は、前記訓練履歴を参照し、受信される前記回数に該当するシナリオ、又は、知識カタログ項目、又は、初期状態を抽出し、前記教官用端末に送信し、
前記教官用端末は、受信される前記シナリオ、又は、前記知識カタログ項目、又は、前記初期状態を表示する
訓練計画作成システム。
【請求項１２】
請求項１から１１いずれか１項に記載のシステムにおいて、
原子力発電所の運転員の訓練をするための情報を提供する
訓練計画作成システム。
【発明の詳細な説明】
【技術分野】
【０００１】
本発明は、訓練計画作成システムに関し、特に原子力発電所における訓練計画を作成するシステムに関する。
【背景技術】
【０００２】
原子力発電所等の運転員は、運転技術を習得又は向上するために原子力発電所の中央制御室を模擬した訓練シミュレータで訓練を行なう。  
訓練シミュレータは、発電所実機の模擬中央制御盤と大型電子計算機及びインストラクションコンソールから構成されている。大型電子計算機は発電所の停止状態から全出力までの作動を実時間で計算し、模擬制御盤上に表示する。運転員が制御盤上で行った操作は計算機に読みこまれ、これに対応した機器の動作が制御盤上に表示されるため、運転員は実機の運転操作と全く同じ感覚で運転の訓練ができる。
又、プラントの起動、停止といった通常の運転状態から異常状態までの事象をインストラクションコンソールから指令により忠実に模擬することができ、各種のトラブル時の対応操作を繰り返し訓練することができる。
【０００３】
特許第３３２０１４２号に開示されているように、従来の訓練シミュレータでは、訓練を受ける運転員（以下訓練生と呼ぶ）の運転操作とその操作を行なった時点のプラント状態を運転データとして収集し、かつ、運転評価装置によって運転評価ベースに格納される評価基準を基準に運転操作を評価している。運転評価ベースに格納される評価基準は、予め想定された標準的な運転操作手順を時系列的に格納したものではなく、その時々のプラントの状態とプラントを制御する運転操作の妥当性を評価する評価知識が互いに独立にルール化されたものである。
【０００４】
又、訓練履歴や操作エラーの履歴、エラー原因分析装置によるエラー原因の分析結果を用いて、個々の訓練生の特性に応じた訓練計画を作成している。［特許文献１参照］  
【０００５】
訓練シミュレータを使った訓練には、訓練生の技術練度に応じた難易度のシナリオに基づいて訓練を実施し、このシナリオに対応する知識や技能を修得する方法がある。
【０００６】
シナリオには、原子力発電所の停止から運転までの流れ等の運転に関わる基本的事項や、運転中に発生が予想される障害や故障等の様々な状況がある。これらのシナリオとともに、新たに発生した事故や障害等の状況を逐次追加し、データベース化して訓練に活用している。
【０００７】
教官が訓練生の技術練度にあわせた訓練の計画を作成する際、訓練生が過去に実施したシナリオとその成績を参考にして、各訓練生の長所短所を判断して個別に訓練シナリオを考案し、訓練を行っている。
【０００８】
しかし、従来の方法は、訓練生が弱点と思っていることを自己申告させ、これを中心に訓練を組み立てている。又、自覚のない欠点については過去の訓練報告書を教官が読んで弱点を把握し、これを強化するよう訓練シナリオを組み立てている。
【特許文献１】特許第３３２０１４２号
【発明の開示】
【発明が解決しようとする課題】
【０００９】
本発明の目的は、原子力発電所の運転員の訓練を行なう際、個々の訓練生の特性を把握でき、前記特性に対応した訓練計画を作成できる訓練計画作成システムを提供することにある。
【００１０】
本発明の他の目的は、原子力発電所の運転員の訓練を行なう際、効果的な訓練を行なうためのシナリオを容易に作成、保存、使用できる訓練計画作成システムを提供することにある。
【課題を解決するための手段】
【００１１】
以下に、［発明を実施するための最良の形態］で使用される番号・符号を括弧付きで用いて、［課題を解決するための手段］を説明する。この番号・符号は、［特許請求の範囲］の記載と［発明を実施するための最良の形態］の記載との対応関係を明らかにするために付加されたものであるが、［特許請求の範囲］に記載されている発明の技術的範囲の解釈に用いてはならない。
【００１２】
本発明による訓練計画作成システムは、プラントの運転をするための訓練に使用する訓練計画作成システムであって、訓練ガイダンス提供装置（１１）と、訓練ガイダンス提供装置（１１）と、通信網（１２）を介して接続される教官用端末（１３）とを具備し、訓練ガイダンス提供装置（１１）は、原子力発電所の運転に必要な知識及び技能を示す知識カタログ項目を保持する知識カタログデータベース（２１）と、訓練の内容を示すシナリオ、及び、シナリオを識別するシナリオ名と、シナリオに関連する知識カタログ項目とが関連付けられて記憶される訓練シナリオデータベース（２２）と、訓練を実施する訓練生が過去に実施したシナリオに関係する訓練履歴が記憶される訓練履歴データベース（２３）とを備え、訓練を実施する教官が使用する教官用端末（１３）は、教官によって入力される要求情報を訓練ガイダンス装置に送信し、訓練ガイダンス提供装置（１１）は、要求信号に対応するシナリオを訓練シナリオデータベース（２２）から抽出し、知識カタログ項目を知識カタログデータベース（２１）から抽出し、訓練履歴を訓練履歴データベース（２３）から抽出し、それぞれを要求情報として教官用端末（１３）に送信し、教官用端末（１３）は、訓練ガイダンス提供装置（１１）から受信される要求情報を表示し、教官によって変更されるシナリオを訓練ガイダンス提供装置（１１）に送信し、訓練ガイダンス提供装置（１１）は、受信されるシナリオを訓練シナリオデータベース（２２）に記録する。
【００１３】
又、訓練ガイダンス提供装置（１１）と通信網（１４）を介して接続される訓練シミュレータ（１５）とを具備し、訓練シミュレータ（１５）は、教官によって入力される要求信号を訓練ガイダンス提供装置（１１）に送信し、訓練ガイダンス提供装置（１１）は、第２の要求信号に関連するシナリオを訓練シナリオデータベース（２２）から抽出し、訓練シミュレータ（１５）に送信し、訓練シミュレータ（１５）は、受信されるシナリオを表示し、シナリオに基づくシミュレーションを実施し、実施済みのシナリオの内容を記憶し、訓練ガイダンス提供装置（１１）に送信し、訓練ガイダンス提供装置（１１）は、受信される実施済みのシナリオの内容を基に、訓練履歴を作成し、訓練履歴データベース（２３）に記憶させる。
【００１４】
教官は、教官用端末（１３）で訓練シナリオを作成し、新たなシナリオとして訓練ガイダンス提供装置（１１）に記憶させる。
【００１５】
シナリオには、訓練シミュレータ（１５）の初期の状態（以下、初期状態（ＩＣ）と呼ぶ）と、模擬する機器の故障状態（以下、マルファンクション（ＭＦ）と呼ぶ）が含まれ、シナリオに沿って訓練することで、初期状態（ＩＣ）やマルファンクション（ＭＦ）に関連する原子力発電所の運転のために必要な知識カタログ項目を修得することができる。
【００１６】
訓練を実施する際、教官は、訓練シミュレータ（１５）を操作し、通信網（１４）を介して訓練ガイダンス提供装置（１１）から訓練に使うシナリオを取り出し、シナリオに含まれている初期状態（ＩＣ）、マルファンクション（ＭＦ）等を模擬し、訓練生はその挙動を監視し、必要な操作を実施して運転訓練を行なう。
【００１７】
訓練生の操作手順や処置事項は、訓練シミュレータ（１５）に記憶され、訓練終了後、通信網（１４）を介して訓練ガイダンス提供装置（１１）に送信され、訓練履歴として記憶される。
【００１８】
訓練履歴には、訓練生が実施したシナリオ、初期状態（ＩＣ）、マルファンクション（ＭＦ）、知識カタログ項目や、それぞれの実施回数が含まれ、前記訓練履歴を参考に訓練計画を作成することができる。
【００１９】
訓練ガイダンス提供装置（１１）は、知識カタログデータベース（２１）、訓練シナリオデータベース（２２）、訓練履歴データベース（２３）、訓練生データベース（２４）、訓練シミュレータデータベース（２５）、を備え、通信網（１２）を介して教官端末装置（１３）と接続され、又、通信網（１４）を介して訓練シミュレータ（１５）と接続されている。
【００２０】
知識カタログデータベース（２１）は、知識カタログを保持し、項目毎にその名称である知識カタログ項目と番号（以下、知識カタログ番号と呼ぶ）を付けて保持している。
【００２１】
訓練シナリオデータベース（２２）は、教官が作成するシナリオファイルを保持するとともに、シナリオに関する情報を管理し、シナリオの検索や、訓練計画書の作成に必要なシナリオテーブルを保持している。シナリオテーブルは、シナリオ番号と、シナリオに関連する訓練の初期状態（ＩＣ）ファイルや、マルファンクション（ＭＦ）ファイルに関連付けて記憶している。又、初期状態（ＩＣ）ファイルやマルファンクション（ＭＦ）ファイルは、訓練シミュレータデータベース（２５）の初期状態（ＩＣ）ファイルやマルファンクション（ＭＦ）ファイルとリンクしている。
【００２２】
訓練履歴データベース（２３）は、訓練番号と、実施日時と、訓練で使用されたシナリオ番号とを、初期状態（ＩＣ）、マルファンクション（ＭＦ）、知識カタログ項目、それぞれに関連付けて記録している。
【００２３】
訓練シミュレータデータベース（２５）は、訓練で使用される訓練シミュレータ（１５）毎の初期状態（ＩＣ）ファイルと、マルファンクション（ＭＦ）ファイルを使用する訓練シミュレータ（１５）から抽出して保持するとともに、初期状態ＩＣファイルやマルファンクションＭＦファイルと、その内容を訓練することで習得できる知識カタログ項目(以下、関連知識カタログ項目と呼ぶ)とを関連付けて記憶している。
【００２４】
訓練生データベース（２４）は、訓練を実施する訓練生の識別番号ＩＤと訓練生の名前や所属する会社情報等を関連付けて記憶する訓練生マスタと、訓練生の識別番号ＩＤと実施した訓練番号や実施日時を関連付けて記憶する再訓練履歴マスタを保持している。
【００２５】
訓練を実施する教官が使用する教官用端末（１３）は、通信網（１２）に接続され、キーボードやマウス等の入力装置を備え、訓練ガイダンス提供装置（１１）との間でデータの送受信を行なう。教官は、必要な情報を入力し、通信網（１２）を介して、訓練ガイダンス提供装置（１１）に要求信号を送信する。訓練ガイダンス提供装置（１１）は、教官用端末（１３）からの要求信号に対応した知識カタログ項目、訓練シナリオ、訓練生の訓練履歴等の情報を通信網（１２）を介して送信する。教官用端末（１３）は、受信される各種情報を表示する。
【００２６】
訓練シミュレータ（１５）は、通信網（１４）を介して訓練ガイダンス提供装置（１１）から受信される実施予定のシナリオを記憶し、教官は、記憶された実施予定のシナリオに含まれている初期状態（ＩＣ）やマルファンクション（ＭＦ）を投入し、シミュレーションを実施して訓練する。
【００２７】
シナリオに沿って教官が実行した初期状態（ＩＣ）やマルファンクション（ＭＦ）を時間とともに記録し、訓練終了後、教官の操作により、訓練ガイダンス提供装置（１１）に送信し、訓練履歴に使用される。
【００２８】
本発明による訓練計画作成システムは、教官用端末（１３）を操作し、訓練ガイダンス提供装置（１１）から訓練に使用するシナリオを抽出する。訓練ガイダンス提供装置は検索プログラム及び類語辞書が含まれ、教官が入力するキーワードが通信網（１２）を介して訓練ガイダンス提供装置（１１）に送信され、訓練ガイダンス提供装置（１１）は、検索プログラムを有し、受信されるキーワードを含むシナリオ又はシナリオ名を検索し、キーワードを含むシナリオを訓練シナリオデータベース（２２）から抽出し、通信網（１２）を介し教官用端末（１３）に送信し、教官用端末（１３）は、受信されるシナリオを表示する。
【００２９】
教官用端末（１３）は、教官が入力する知識カタログ項目を通信網（１２）を介して訓練ガイダンス提供装置（１１）に送信する。訓練ガイダンス提供装置（１１）の訓練シナリオデータベース（２２）において、受信される知識カタログ項目に対応するシナリオを抽出し、通信網（１２）を介して教官用端末（１３）に送信し、教官用端末（１３）は、受信されるシナリオを表示する。
【００３０】
又、教官用端末（１３）からシナリオ名を通信網（１２）を介して訓練ガイダンス提供装置（１１）に送信し、訓練ガイダンス提供装置（１１）の訓練シナリオデータベース（２２）において、受信されるシナリオ名に対応する知識カタログ項目を抽出し、通信網（１２）を介して教官用端末（１３）に送信し、教官用端末（１３）は、受信されるシナリオを表示する。
【００３１】
教官用端末（１３）は、訓練ガイダンス提供装置（１１）から受信されるシナリオを修正し、修正シナリオとして訓練ガイダンス提供装置（１１）に送信し、訓練ガイダンス提供装置（１１）は、受信される修正シナリオと、修正シナリオに関連する知識カタログ項目とを関連付けて訓練シナリオデータベース（２２）に記憶させる。
【００３２】
教官用端末（１３）は、訓練ガイダンス提供装置（１１）から受信される複数のシナリオを結合し、結合シナリオとして訓練ガイダンス提供装置（１１）に送信し、訓練ガイダンス提供装置（１１）は、受信される結合シナリオと、結合シナリオに関連する知識カタログ項目とを関連付けて訓練シナリオデータベースに記憶させる。
【００３３】
教官用端末（１３）は、教官が入力する初期状態（ＩＣ）を通信網（１２）を介して訓練ガイダンス提供装置（１１）に送信し、訓練ガイダンス提供装置（１１）は、受信される初期状態（ＩＣ）に関連する知識カタログ項目を訓練シナリオデータベース（２２）から抽出し、通信網（１２）を介し教官用端末（１３）に送信し、教官用端末（１３）は、受信される知識カタログ項目を表示する。
【００３４】
又、教官用端末（１３）は、教官が入力する知識カタログ項目を通信網（１２）を介して訓練ガイダンス提供装置（１１）に送信し、訓練ガイダンス提供装置（１１）は、受信される知識カタログ項目に関連する初期状態（ＩＣ）を訓練シナリオデータベース（２２）から抽出し、通信網（１２）を介し教官用端末（１３）に送信し、教官用端末（１３）は、受信される初期状態（ＩＣ）を表示する。
【００３５】
教官用端末（１３）は、教官が入力する訓練生の識別番号（ＩＤ）と実施済みのシナリオの回数、又は、経験済みの知識カタログ項目の回数、又は、経験済みの初期状態（ＩＣ）の回数を訓練ガイダンス提供装置（１１）に送信し、訓練ガイダンス提供装置（１１）は、訓練履歴を参照し、受信される回数に該当するシナリオ、又は、知識カタログ項目、又は、初期状態（ＩＣ）を抽出し、教官用端末（１３）に送信し、教官用端末（１３）は、受信されるシナリオ、又は、知識カタログ項目、又は、初期状態（ＩＣ）を表示する。
【００３６】
本発明による訓練計画作成システムにおいては、教官は教官用端末１３を操作することによって、訓練生の特性に合わせた最適のシナリオを作成できる。
【００３７】
又、訓練計画に沿って訓練中に訓練生の対応状況に応じて教官が臨機応変にシナリオを変更したとき、その結果を訓練シミュレータ（１５）操作装置から通信で受け取り、実際に訓練が行われたシナリオを訓練履歴データベース（２３）に記憶して、次回の訓練計画作成を容易にすることができる。
【発明の効果】
【００３８】
本発明の訓練計画作成システムによれば、原子力発電所の運転員に必要な知識や技術を漏れなく修得することができ、個々の訓練生の特性に対応した訓練計画を作成することができる。
【００３９】
又、原子力発電所の運転員の訓練を行なう際、効果的な訓練を行なうためのシナリオを容易に作成、保存、使用することができる。
【発明を実施するための最良の形態】
【００４０】
以下、添付図面を参照して、本発明による訓練計画作成システムの実施の形態を説明する。
【００４１】
本発明による訓練計画システムは、原子力発電所の運転の訓練に使用され、訓練を実施する教官が、訓練生の訓練状況を容易に把握し、より効率の良い訓練計画の作成支援するためのシステムである。
【００４２】
図１に本発明による訓練計画作成システムの構成を示す。
【００４３】
本発明による訓練計画システムは、訓練ガイダンス提供装置１１と、１又は複数の教官端末装置１３と、１又は複数の訓練シミュレータ１５とから構成されている。訓練ガイダンス提供装置１１は、教官端末装置１３とシミュレータ１５とに、それぞれ通信網１２、通信網１４を介して接続されている。
【００４４】
教官は、教官用端末１３を操作し、通信網１２を介して、訓練ガイダンス提供装置１１に情報提供を要求することで、訓練ガイダンス提供装置１１から知識カタログ項目、訓練シナリオ、訓練生の履歴等のデータベース情報を取得する。
【００４５】
教官は、教官用端末１３でシナリオを作成し、新たなシナリオとして訓練ガイダンス提供装置１１に記憶させる。
【００４６】
シナリオには、訓練シミュレータ１５の初期の状態（以下、初期状態ＩＣと呼ぶ）と、模擬する機器の故障状態（以下、マルファンクションＭＦと呼ぶ）が含まれ、シナリオに沿って訓練することで、初期状態ＩＣやマルファンクションＭＦに関連する原子力発電所の運転のために必要な知識や技能（以下、知識カタログ項目）を修得することができる。
【００４７】
訓練を実施する際、教官は、訓練シミュレータ１５を操作し、通信網１４を介して訓練ガイダンス提供装置１１から訓練に使うシナリオを取り出し、シナリオに含まれている初期状態ＩＣ、マルファンクションＭＦ等を模擬し、訓練生はその挙動を監視し、必要な操作を実施して運転訓練を行なう。
【００４８】
訓練生の操作手順や処置事項は、訓練シミュレータ１５に記憶され、訓練終了後、通信網１４を介して訓練ガイダンス提供装置１１に送信され、訓練履歴として記憶される。
【００４９】
訓練履歴には、訓練生が実施したシナリオ、初期状態ＩＣ、マルファンクションＭＦ、知識カタログ項目や、それぞれの実施回数が含まれ、前記訓練履歴を参考に訓練計画を作成することができる。
【００５０】
以下に図２から図６を用いて、訓練計画作成システムの構成と、動作を示す。
【００５１】
図２に訓練ガイダンス提供装置１１の構成を示す。訓練ガイダンス提供装置１１は、原子力発電所訓練センタ等に置かれ原子力発電所の運転訓練に必要な知識及び技能である知識カタログや、訓練に使用するシナリオ等を提供する装置である。
【００５２】
その構成は、図２に示されるように、データバス、アドレスバス、制御バスにより構成されるシステムバス２０に知識カタログデータベース２１、訓練シナリオデータベース２２、訓練履歴データベース２３、訓練生データベース２４、訓練シミュレータデータベース２５、ＣＰＵ２６、ＲＡＭ２７、ＲＯＭ２８が接続されている。又、システムバス２０には通信インターフェース部２９が接続されており、通信網１２を介して教官端末装置１３と接続され、又、通信網１４を介して訓練シミュレータ１５と接続されている。
【００５３】
知識カタログデータベース２１は、図３に示されるように、原子力発電所の運転員が備えているべき知識や技能を示す知識カタログを保持し、項目毎にその名称である知識カタログ項目と番号（以下、知識カタログ番号と呼ぶ）を付けて保持している。この知識カタログ項目は、原子力発電所を運転するための操作方法や、障害対処方法等であり、これらを修得することで運転員の技能を向上することができる。
【００５４】
訓練シナリオデータベース２２は、教官が作成するシナリオファイルを保持するとともに、シナリオに関する情報を管理し、シナリオの検索や、訓練計画書の作成に必要な項目を保持している。そのため訓練シナリオデータベース２２は、図４に示されるような、シナリオテーブルに、シナリオ番号と、シナリオ関連する訓練の初期状態ＩＣファイルや、マルファンクションＭＦファイルに関連付けて記憶している。又、初期状態ＩＣファイルやマルファンクションＭＦファイルは、訓練シミュレータデータベース２５の初期状態ＩＣファイルやマルファンクションＭＦファイルとリンクしている。
【００５５】
訓練履歴データベース２３は、図５（ａ）から（ｂ）に示されるように、訓練番号と、実施日時と、訓練で使用されたシナリオ番号とを、初期状態ＩＣ、マルファンクションＭＦ、知識カタログ項目と、それぞれに関連付けて記録している。
【００５６】
訓練シミュレータデータベース２５は、訓練で使用する訓練シミュレータ１５の初期状態ＩＣファイルと、マルファンクションＭＦファイルを訓練シミュレータ１５から取得して保持するとともに、図６（ａ）及び（ｂ）に示されるように、初期状態ＩＣファイルやマルファンクションＭＦファイルと、その内容を訓練することで習得できる知識カタログ項目(以下、関連知識カタログ項目と呼ぶ)とを関連付けて記憶している。
【００５７】
初期状態ＩＣファイルやマルファンクションＭＦファイルを訓練シミュレータ１５毎で管理することで、訓練ガイダンス提供装置１１の記憶容量の負担を軽減し、初期状態等に変化がある場合、訓練シミュレータ１５毎に容易に変更することができる。
【００５８】
訓練生データベース２４は、図７（ａ）に示されるような、訓練を実施する訓練生の識別番号ＩＤと訓練生の名前や所属する会社情報等を関連付けて記憶する訓練生マスタと、図７（ｂ）に示されるような訓練生の識別番号ＩＤと実施した訓練番号や実施日時を関連付けて記憶する再訓練履歴マスタを保持している。
【００５９】
ＲＯＭ２８は、ＣＰＵ２６が実行する実行プログラム及び知識カタログデータベース２１、訓練シナリオデータベース２２、訓練履歴データベース２３、訓練生データベース２４、訓練シミュレータデータベース２５を管理する管理情報を記憶している。又、ＲＡＭ２５は、ＣＰＵ２６が各種の演算を行なうことができるように、各データベースの検索結果などを一時的に記憶する。
【００６０】
ＣＰＵ２６はシステムバス２０を介して、訓練提供装置１１全体を制御する。
【００６１】
通信インターフェース部２９は通信網１２により、教官用端末１３との通信を行なう。又、通信網１４により訓練シミュレータ操作装置１５との通信を行なう。
【００６２】
訓練を実施する教官が使用する教官用端末１３は、コンピュータ装置１３ａとモニタ１３ｂとを備える。コンピュータ装置１３ａは、通信網１２に接続される通信インターフェースと、キーボードやマウス等の入力装置を備え、訓練ガイダンス提供装置１１との間でデータの送受信を行なう。教官は、必要な情報を入力し、通信網１２を介して、訓練ガイダンス提供装置１１に要求信号を送信する。訓練ガイダンス提供装置１１は、教官用端末１３からの要求信号に対応した知識カタログ項目、シナリオ、訓練生の訓練履歴等の情報を通信網１２を介して送信する。教官用端末１３は、受信される各種情報をモニタ１３ｂに表示する。
【００６３】
又、コンピュータ装置１３ａは、例えば、磁気テープ、磁気ディスク、光磁気ディスク、ハードディスク等の記憶装置を備え、訓練ガイダンス提供装置１１から送られてきた各種情報の中で教官にとって必要な情報を蓄積しておくことができる。
【００６４】
図８に、訓練シミュレータ１５の構成を示す。
【００６５】
訓練シミュレータ１５は、訓練シミュレータ操作装置１５ａと、プラント模擬装置１５ｂから構成される。
訓練シミュレータ操作装置１５ａは、データバス、アドレスバス、制御バス等により構成されるシステムバス４０に、操作装置４１、表示回路４２ａ、モニタ４２ｂ、ＣＰＵ４３、ＲＡＭ４４、ＲＯＭ４５、情報蓄積装置４６、通信インターフェース部４７が接続されている。
【００６６】
ＣＰＵ４３はシステムバス４０を介して、この訓練シミュレータ操作装置１５ａ全体を制御する。ＲＡＭ４４は、ＣＰＵ４３が各種のデータ処理を行なうことができるように、処理の中間結果などを一時的に記憶される。又、ＲＯＭ４５は、ＣＰＵ４３が実行する実行プログラム及び実施予定シナリオ、実施済みシナリオを管理する管理情報を記憶している。
【００６７】
情報蓄積装置４６は、実施予定シナリオと、実施済みシナリオと、訓練シミュレータ操作装置１５ａの基本ソフトや管理用データを記憶し、図９に示されるようなインストラクタログを記録する。又、訓練シミュレータ１５毎に初期状態ＩＣファイルやマルファクションＭＦファイルを保有している。
【００６８】
インストラクタログは、シナリオに沿って教官が実行した初期状態ＩＣやマルファンクションＭＦを時間とともに記録するログであり、訓練終了後、教官の操作により、訓練ガイダンス提供装置１１に送信され、訓練履歴に使用される。
【００６９】
通信インターフェース部４７は通信網１４を介して、訓練ガイダンス提供装置１１との通信を行なう。又、通信網１６を介して、プラント模擬装置１５ｂとの通信を行なう。
【００７０】
表示回路４２は、システムバス４０を介して供給された情報を、モニタ４２ｂが情報を表示することができるような信号に変換し、モニタ４２ｂに前記信号を出力し、モニタ４２ｂはこの情報を表示する。
【００７１】
例えばタッチパネルを用いた操作装置４１はモニタ４２ｂを覆うように設けられており、教官は、モニタ４２ｂに表示された選択ボタンなどをタッチしてＣＰＵ４３へ指令を送る。
【００７２】
通信網１４を介して訓練ガイダンス提供装置１１から受信される実施予定のシナリオは、情報蓄積装置４６に記憶され、記憶された実施予定のシナリオはモニタ４２ｂに表示される。教官はシナリオに含まれている初期状態ＩＣ番号や、マルファンクションＭＦ番号に従って、タッチパネルにより投入することで、初期状態ＩＣファイルやマルファンクションＭＦファイルを読み出し、通信網１６を介してプラント模擬装置１５ｂに伝送する。
【００７３】
プラント模擬装置１５ｂは、訓練シミュレータ操作装置１５ａから伝送される初期状態ＩＣファイルやマルファンクションＭＦファイルに基づいて、プラントの挙動、すなわち時々刻々に変化するプラントの温度、圧力、熱出力、発電量等を計算し、表示する。訓練生は、プラントの挙動に応じた操作を実施して訓練を行なう。
【００７４】
以下、本発明による訓練計画システムの実施の形態を図１から図１４を用いて説明する。
【００７５】
教官が作成するシナリオは、図１０に示すようにシナリオ番号や、タイトル、作成者等が記載され、使用する初期状態ＩＣの番号や名称、マルファンクションＭＦが記載されたシミュレータ情報と、訓練実施要領等から構成される。シナリオはワードプロセッサ等のアプリケーションを利用して作成され、訓練シナリオデータベース２２のフォルダ２２ａにファイルとして保存される。
【００７６】
教官がシナリオに入力する各種情報は、シナリオを保存するとき、ワードプロセッサの拡張プログラムによってシナリオテーブルに登録される。
【００７７】
図１１は、本発明による訓練計画作成システムの行なう動作のメインルーチンのフローチャートである。教官は、教官用端末１３におけるコンピュータ装置１３ａを操作し、本発明による訓練計画作成システムを利用する旨の要求を、訓練ガイダンス提供装置１１に対して送信する。このメッセージは、通信網１２を介して、訓練ガイダンス提供装置１１に入力される。このメッセージは、訓練ガイダンス提供装置１１において、通信インターフェース部４７を介してＣＰＵ２４に入力される。この呼設定メッセージを受信すると、ＣＰＵ２４は、サービスを開始する（ステップＳ１０１）。
【００７８】
訓練を始めるにあたり、教官は、教官用端末１３を使用して実施予定のシナリオの作成を行なう。教官は、訓練ガイダンス提供装置１１の訓練シナリオデータベース２２にある既存のシナリオを抽出し、シナリオを修正、あるいは結合して新たなシナリオを作成する。完成した実施予定シナリオを、訓練ガイダンス提供装置１１に送信する（ステップＳ１０１）。
【００７９】
訓練終了後、訓練に用いたシナリオのシナリオ番号と実施日時とを、実施した初期状態ＩＣと、マルファンクションＭＦと、関連知識カタログ項目に関連付けて訓練ガイダンス提供装置１１に送信し、訓練履歴データベース２３や訓練生データベース２４に記録する（ステップＳ１０３）。
【００８０】
図１２は、本発明による実施予定シナリオの作成処理のフローチャートである。
【００８１】
教官は、教官用端末を操作して実施予定シナリオを作成する。まず、訓練生の氏名又は、識別番号を入力し、訓練生の特定を行なう。又、使用する訓練シミュレータ１５を指定し、訓練シミュレータ１５から初期状態ＩＣファイルとマルファンクションＭＦファイルを取得し、訓練シミュレータデータベース２５に記憶させる(ステップＳ２０１)。
【００８２】
次に、シナリオ作成方針を入力する（ステップＳ２０２）。シナリオを作成する方針としては知識カタログ項目をある選択基準によって抽出し、その知識カタログ項目を修得するためのシナリオを指定する方針と、直接シナリオを指定する方針とがある。
【００８３】
知識カタログ項目を抽出してシナリオを作成する方針を選択する場合、訓練に必要な知識カタログ項目の抽出条件を入力する（ステップＳ２０４）。知識カタログ項目の抽出条件としては、例えば、その訓練生が過去に一度も訓練を受けていない知識カタログ項目に絞る方法がある。他に、訓練回数が指定回数以下、訓練成績が指定成績以下などの選択基準がある。
【００８４】
入力される抽出条件、例えば、抽出条件に、訓練生の識別番号ＩＤと実施回数が２回である知識カタログ項目を要求する場合、訓練ガイダンス提供装置１１に識別番号ＩＤと実施回数が送信され、訓練生データベース２４内の再訓練履歴マスタにおいて識別番号ＩＤに関連する訓練番号と実施日時を参照し、訓練履歴データベース２３内の知識カタログ項目マスタにおいて該訓練番号と該実施日時に対応する知識カタログ番号の数をカウントし、２回カウントされた知識カタログ番号を抽出し、知識カタログデータベース２１内において前記知識カタログ番号に対応する知識カタログ項目を抽出し、教官用端末１３に送信し、教官用端末１３に表示される（ステップＳ２０５）。
【００８５】
又、抽出条件が初期状態ＩＣを指定して知識カタログ項目を取得する場合、初期状態ＩＣ番号が、訓練ガイダンス提供装置１１に送信され、訓練シミュレータデータベース２５内の初期状態ＩＣマスタにおいて前記初期状態に対応する知識カタログ番号を抽出し、知識カタログデータベース２１内において該知識カタログ番号に対応する知識カタログ項目を抽出し、教官用端末１３に送信し、教官用端末１３に表示される。マルファンクションＭＦを指定する場合も同様に関連する知識カタログ項目を表示できる。
【００８６】
教官は、リストアップされた複数の知識カタログ項目を参照して、今回の訓練で強化する知識カタログ項目又は番号を入力する（ステップＳ２０６）。
【００８７】
入力された知識カタログ項目は、訓練ガイダンス提供装置１１に送信され、訓練シナリオデータベース２２内のシナリオテーブルにおいて、知識カタログ項目又は番号に対応するシナリオ名が抽出され、教官用端末１３に送信され、モニタ１３ｂに表示される（ステップＳ２０７）。教官は表示されるシナリオ名を１つあるいは複数指定し、今回の訓練で実施するシナリオファイルを訓練ガイダンス提供装置１１から抽出する（ステップＳ２０８）。
【００８８】
直接シナリオを指定する方針を採用する場合、教官は直接シナリオ名を入力してシナリオを指定する場合と、シナリオのキーワードによる検索によって、シナリオを選定する場合がある。
【００８９】
検索キーワードでシナリオを選定する方針を採用する場合、教官は、シナリオに含まれるキーワードを教官用端末１３に入力する（ステップＳ２１０）。入力されたキーワードは訓練ガイダンス提供装置１１に送信され、訓練シナリオデータベース２２のキーワードを含むシナリオを抽出し、そのシナリオ名を教官用端末１３に送信し、モニタ１３ｂに表示される。教官は表示されたシナリオ名を１つあるいは複数選び、今回の訓練で実施するシナリオ名を選定する（ステップＳ２１２）。又、訓練ガイダンス提供装置１１は、類義語データベース（図示無し）を備え、類義語による検索を行なうことができる。
【００９０】
指定されるシナリオが複数である場合、複数のシナリオを選定された順番に合成してモニタ１３ｂに表示する（ステップＳ２３１）。シナリオが１つの場合、そのシナリオをモニタ１３ｂにて表示する（ステップＳ２３２）。
【００９１】
合成したシナリオは、合成する前のシナリオの関連知識カタログ項目をそのまま含み、重なった関連知識カタログ項目は、削除することができる。
【００９２】
又、表示されたシナリオは教官用端末のキーボードやマウス等の入力装置を使って、教官は得られたシナリオの修正や微調整を行ない、新たなシナリオとして、訓練シナリオデータベース２２に保存される。このようにして訓練生がシナリオ慣れしてしまうのを防止し、いつも目新しい訓練ができるようになる(ステップＳ２３３)。
【００９３】
表示されるシナリオが１つになるまで、合成あるいは修正を繰り返す。複数のシナリオを結合されたシナリオや修正されたシナリオは、１つのシナリオをベースとしているが、大幅な変更を加えたシナリオのうち後日再利用したいシナリオは、新たなシナリオ名とともに訓練ガイダンス提供装置１１に送信され、訓練シナリオデータベース２２に保存される（ステップＳ２３５）。このようにして新しいシナリオを訓練シナリオデータベース２２に蓄積できるので、データベースの充実を図ってゆくことができる。
【００９４】
教官用端末１３の指令により、完成したシナリオは、訓練ガイダンス提供装置１１から訓練シミュレータ１５に送信される(ステップＳ２３６)。
【００９５】
次に図１３に、シナリオを使用した訓練の流れを示す。教官は、訓練シミュレータ１５の操作装置４１を操作して、訓練ガイダンス提供装置１１から訓練に使用する実施予定訓練シナリオを取得し、シナリオを基に原子力発電所の運転訓練を実施する。
【００９６】
訓練シミュレータ１５は、通信網１４を介して訓練ガイダンス提供装置１１から送られてきたシナリオを受信し、モニタ４２ｂに表示する（ステップＳ３０１）。教官はモニタ４２ｂに表示されるシナリオを見ながらモニタ４２ｂ上に設けられたタッチパネルやキーボード、マウス等の操作装置４１を使って訓練シミュレータ操作装置１５ａを操作し、プラント模擬装置１５ｂを制御する。
【００９７】
シナリオには訓練を開始する初期状態ＩＣの番号が指定されてあり、その指定に従い、訓練シミュレータ１５内の初期状態ＩＣファイルを読み出し（ステップＳ３０２）、プラント模擬装置１５ｂを制御して初期状態とする（ステップＳ３０３）。初期状態ＩＣは、プラントの起動を訓練するときはプラント停止中の状態であり、運転員は停止しているプラントの機動操作をしてゆく。又、訓練目的が定格出力運転中の機器の故障に対する対応能力を訓練するときは定格出力運転中の状態が初期状態となる。こうした初期状態は訓練内容と密接に関係しており、シナリオ情報の一部を構成している。
【００９８】
訓練を開始すると、操作装置１５のモニタ４２ｂに表示されているシナリオに含まれる機器故障などのマルファンクションＭＦを、教官が適切なタイミングで次々に投入する（ステップＳ３０４）。訓練生の対応状況によってはシナリオにあるマルファンクションＭＦの一部の投入を中止したり、教官の臨機応変の判断で投入するマルファンクションＭＦを変えても良い。
【００９９】
初期状態ＩＣの選択、発生させた初期状態ＩＣ、マルファンクションＭＦの内容や実施時間等は、情報蓄積装置４６にインストラクタログとして保存される。インストラクタログは、図９に示されるように、初期状態ＩＣやマルファンクションＭＦと、それらの実施時刻と、内容が関連付けられて記録される(ステップＳ３０５)。
【０１００】
訓練が終了すると情報蓄積装置４６に記憶されているインストラクタログは通信網１４を介して訓練ガイダンス情報提供装置１１へ送信される（ステップＳ３０７）。
【０１０１】
訓練履歴の保存についてのフローチャートを図１４に示す。訓練シミュレータ操作装置１５ａから通信網１４を介して訓練ガイダンス提供装置１１にインストラクタログが受信され（ステップＳ４０１）、訓練履歴データベース２３では、受信されるインストラクタログを基に、初期状態ＩＣテーブル、マルファンクションＭＦテーブル、知識カタログ項目テーブルに、それぞれの番号、実施日時、シナリオ番号を関連させて記憶される。（ステップＳ４０２）。
【０１０２】
このようにして、原子力発電所の運転員の訓練を行なう際、訓練履歴を記録することで、訓練生の訓練成績やシナリオの実施の有無等、未評価の知識カタログ項目を洗い出し、知識カタログ項目単位で訓練生の弱点を教官が把握することができる。又、シナリオと知識カタログ項目を関連付けてデータベースに保持しているため、訓練生の弱点である知識の強化に適したシナリオを選定することができる。
更に、強化すべき知識を最も良く訓練できるシナリオを選定、あるいは過去のシナリオを合成して新たなシナリオを作成することできるため、訓練の質や効率を向上させる訓練計画を作成することができる。
【図面の簡単な説明】
【０１０３】
【図１】図１は、本発明による訓練計画作成システムの構成図である。
【図２】図２は、訓練ガイダンス提供装置の構成図である。
【図３】図３は、知識カタログデータベースの構成図である。
【図４】図４は、シナリオテーブルの構成図である。
【図５】図５は、訓練履歴データベースにおけるテーブルの構成図である。
【図６】図６は、初期状態ＩＣファイルマスタやマルファンクションＭＦファイルマスタの構成図である。
【図７】図７は、訓練生データベースの構成図である。
【図８】図８は、訓練シミュレータの構成図である。
【図９】図９は、インストラクタログの構成図である。
【図１０】図１０は、シナリオの一例である。
【図１１】図１１は、本発明による訓練計画作成システムの行なう動作のメインルーチンである。
【図１２】図１２は、本発明による実施予定訓練シナリオの作成処理のフローチャートである。
【図１３】図１３は、本発明による訓練実施のフローチャートである。
【図１４】図１４は、本発明による訓練履歴の保存についてのフローチャートである。
【符号の説明】
【０１０４】
１１：訓練ガイダンス提供装置
１２：通信網
１３：教官用端末
１３ａ：コンピュータ装置
１３ｂ：モニタ
１４：通信網
１５：訓練シミュレータ
１５ａ：訓練シミュレータ操作装置
１５ｂ：プラント模擬装置
１６：通信網
２０：システムバス
２１：知識カタログデータベース
２２：訓練シナリオデータベース
２３：訓練履歴データベース
２４：訓練生データベース
２５：訓練シミュレータデータベース
２６：ＣＰＵ
２７：ＲＯＭ
２８：ＲＡＭ
２９：通信インターフェース部
４０：システムバス
４１：操作装置
４２ａ：表示回路
４２ｂ：モニタ
４３：ＣＰＵ
４４：ＲＡＭ
４５：ＲＯＭ
４６：情報蓄積装置
４７：通信インターフェース部
ＣＩ：初期情報
ＭＦ：マルファンクション
【図１】
2006017547.tif 000003
【図２】
2006017547.tif 000004
【図３】
2006017547.tif 000005
【図４】
2006017547.tif 000006
【図５】
2006017547.tif 000007
【図６】
2006017547.tif 000008
【図７】
2006017547.tif 000009
【図８】
2006017547.tif 000010
【図９】
2006017547.tif 000011
【図１０】
2006017547.tif 000012
【図１１】
2006017547.tif 000013
【図１２】
2006017547.tif 000014
【図１３】
2006017547.tif 000015
【図１４】
2006017547.tif 000016